【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び複数の任意の特色に関する色情報と、それらに対応する出力制御値とを関連付けたテーブルを記憶する記憶手段と、
前記受信した画像データを構成する特色に関する色情報と、前記テーブルを構成する任意の特色の色情報とを比較して、それらの一致／不一致を判定する比較判定手段と、
前記比較判定手段において、一致するものがあった場合に、前記テーブルの基本色及び該当する特色に関する出力制御値に基づいて、また、一致するものがなかった場合に、前記テーブルの基本色及び複数の任意の特色に関する出力制御値に基づいて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項２】  画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する特色に関する色情報と、前記第２のテーブルを構成する任意の特色の色情報とを比較して、それらの一致／不一致を判定する比較判定手段と、
前記比較判定手段の判定において、一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項３】  画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する特色に関する色情報と、前記第２のテーブルを構成する任意の特色の色情報とを比較して、それらの一致／不一致を判定する比較判定手段と、
前記比較判定手段の判定において、一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記出力制御テーブルに関する情報を、前記出力制御情報として前記受信した画像データに付加して、前記画像出力装置へ送信する出力装置制御手段と、を備えたことを特徴とする画像出力システム。
【請求項４】  画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び任意の特色の組み合わせと、それらの組み合わせに対応する出力制御値とを関連付けた出力制御テーブルを少なくとも１つ記憶する出力制御テーブル記憶手段と、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、
前記比較判定手段の判定において、前記受信した画像データを構成する特色に関する色情報と、前記第２のテーブルを構成する任意の特色の色情報とに一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがあった場合に、前記出力制御値算出手段により作成された出力制御テーブルを、前記出力制御情報として前記受信した画像データに付加して、前記画像出力装置へ送信する出力装置制御手段と、を備えたことを特徴とする画像出力システム。
【請求項５】  画像データに基づく画像を、露光条件に関する出力制御情報に従って露光して出力する画像出力装置と、
外部装置から受信した画像データに、前記画像出力装置の露光条件に関する出力制御情報を付加して、前記画像出力装置へ送信する制御装置と、を含む画像出力システムであって、
前記制御装置は、
画像データを構成する基本色及び任意の特色の組み合わせと、それらの組み合わせに対応する出力制御値とを関連付けた出力制御テーブルを少なくとも１つ記憶する出力制御テーブル記憶手段と、
画像データを構成する基本色に関する色情報と、それらの基本色に対応する出力制御値とを関連付けた第１のテーブルを記憶する第１の記憶手段と、
画像データを構成する少なくとも１つの任意の特色に関する色情報と、その任意の特色に対応する出力制御値とを関連付けた第２のテーブルを記憶する第２の記憶手段と、
前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、
前記比較判定手段の判定において、前記受信した画像データを構成する特色に関する色情報と、前記第２のテーブルを構成する任意の特色の色情報とに一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、
前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがなかった場合に、前記出力制御値算出手段により作成された出力制御テーブルを、前記出力制御情報として前記受信した画像データに付加して、前記画像出力装置へ送信する出力装置制御手段と、を備えたことを特徴とする画像出力システム。
【手続補正２】
【補正対象書類名】明細書
【補正対象項目名】００１６
【補正方法】変更
【補正の内容】
【００１６】
上記課題を解決するために、請求項１に記載の画像出力システムであって、前記記憶手段は、さらに、画像データを構成する基本色及び任意の特色の組み合わせと、それらの組み合わせに対応する出力制御値とを関連付けた出力制御テーブルを記憶し、前記比較判定手段は、前記受信した画像データを構成する基本色及び特色の組み合わせと、前記出力制御テーブルを構成する基本色及び任意の特色の組み合わせとを比較した上で、それらが不一致であった場合には、さらに、前記受信した画像データを構成する特色に関する色情報と、前記テーブルを構成する任意の特色の色情報とを比較して、前記出力装置制御手段は、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加することを特徴とする。
【手続補正３】
【補正対象書類名】明細書
【補正対象項目名】００１７
【補正方法】変更
【補正の内容】
【００１７】
上記課題を解決するために、請求項２に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する特色に関する色情報と、前記第２のテーブルを構成する任意の特色の色情報とを比較して、それらの一致／不一致を判定する比較判定手段と、前記比較判定手段の判定において、一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【手続補正４】
【補正対象書類名】明細書
【補正対象項目名】００１８
【補正方法】変更
【補正の内容】
【００１８】
上記課題を解決するために、請求項３に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色に関する色情報と、それらの基本色に対応する出力制御値とを関連付けた第１のテーブルを記憶する第１の記憶手段と、画像データを構成する少なくとも２つの任意の特色に関する色情報と、その任意の特色に対応する出力制御値とを関連付けた第２のテーブルを記憶する第２の記憶手段と、前記受信した画像データを構成する特色に関する色情報と、前記第２のテーブルを構成する任意の特色の色情報とを比較して、それらの一致／不一致を判定する比較判定手段と、前記比較判定手段の判定において、一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記出力制御テーブルに関する情報を、前記出力制御情報として前記受信した画像データに付加して、前記画像出力装置へ送信する出力装置制御手段と、を備えたことを特徴とする。
【手続補正５】
【補正対象書類名】明細書
【補正対象項目名】００１９
【補正方法】変更
【補正の内容】
【００１９】
上記課題を解決するために、請求項４に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び任意の特色の組み合わせと、それらの組み合わせに対応する出力制御値とを関連付けた出力制御テーブルを少なくとも１つ記憶する出力制御テーブル記憶手段と、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、前記比較判定手段の判定において、前記受信した画像データを構成する特色に関する色情報と、前記第２のテーブルを構成する任意の特色の色情報とに一致するものがあった場合に、該当する前記任意の特色の前記第２のテーブルにおける出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがあった場合に、前記出力制御値算出手段により作成された出力制御テーブルを、前記出力制御情報として前記受信した画像データに付加して、前記画像出力装置へ送信する出力装置制御手段と、を備えたことを特徴とする。
【手続補正６】
【補正対象書類名】明細書
【補正対象項目名】００２０
【補正方法】変更
【補正の内容】
【００２０】
上記課題を解決するために、請求項５に記載の発明は、画像データに基づく画像を、露光条件に関する出力制御情報に従って露光して出力する画像出力装置と、外部装置から受信した画像データに、前記画像出力装置の露光条件に関する出力制御情報を付加して、前記画像出力装置へ送信する制御装置と、を含む画像出力システムであって、前記制御装置は、画像データを構成する基本色及び任意の特色の組み合わせと、それらの組み合わせに対応する出力制御値とを関連付けた出力制御テーブルを少なくとも１つ記憶する出力制御テーブル記憶手段と、画像データを構成する基本色に関する色情報と、それらの基本色に対応する出力制御値とを関連付けた第１のテーブルを記憶する第１の記憶手段と、画像データを構成する少なくとも１つの任意の特色に関する色情報と、その任意の特色に対応する出力制御値とを関連付けた第２のテーブルを記憶する第２の記憶手段と、前記受信した画像データを構成する基本色及び特色の組み合わせと、前記出力制御テーブルを構成する基本色及び任意の特色の組み合わせとを比較して、それらの一致／不一致を判定すると共に、それらが不一致であった場合には、さらに、前記受信した画像データを構成する特色に関する色情報と、前記第２のテーブルを構成する任意の特色の色情報とを比較して、それらの一致／不一致を判定する比較判定手段と、前記比較判定手段の判定において、前記受信した画像データを構成する特色に関する色情報と、前記第２のテーブルを構成する任意の特色の色情報とに一致するものがなかった場合に、前記第２のテーブルを構成する少なくとも２つの任意の特色に対応する出力制御値を用いて、前記受信した画像データを構成する特色に対応する出力制御値を算出して、さらに、前記算出した出力制御値と、前記第１のテーブルを構成する基本色に対応する出力制御値とを用いて、前記受信した画像データを構成する基本色及び特色の組み合わせに対応する出力制御値を算出して、前記受信した画像データを構成する基本色及び特色の組み合わせと、それらの組み合わせに対応する出力制御値とを関連付けた出力制御テーブルを作成する出力制御値算出手段と、前記比較判定手段による判定において、前記受信した画像データを構成する基本色及び特色の組み合わせと、前記出力制御テーブルを構成する基本色及び任意の特色の組み合わせとに一致するものがあった場合に、該当する前記出力制御テーブルに関する情報を、前記出力制御情報として前記受信した画像データに付加して、また、前記比較判定手段による判定において、前記受信した画像データを構成する特色に関する色情報と、前記第２のテーブルを構成する任意の特色の色情報とに一致するものがなかった場合に、前記出力制御値算出手段により作成された出力制御テーブルを、前記出力制御情報として前記受信した画像データに付加して、前記画像出力装置へ送信する出力装置制御手段と、を備えたことを特徴とする。
【手続補正７】
【補正対象書類名】明細書
【補正対象項目名】００２１
【補正方法】変更
【補正の内容】
【００２１】
また、請求項２乃至請求項５の何れか一項に記載の画像出力システムであって、前記基本色並びに前記特色に関する色情報は、該当する色をシアン、マゼンタ、イエロー、ブラックの４色に色分解した場合の各色の構成比率に関する情報であることを特徴とする。
【手続補正８】
【補正対象書類名】明細書
【補正対象項目名】００２２
【補正方法】変更
【補正の内容】
【００２２】
また、請求項２乃至請求項５の何れか一項に記載の画像出力システムであって、前記基本色並びに前記特色に関する色情報は、該当する色の色相・彩度・輝度に関する情報であることを特徴とする。
【手続補正９】
【補正対象書類名】明細書
【補正対象項目名】００２３
【補正方法】変更
【補正の内容】
【００２３】
また、請求項２乃至請求項５の何れか一項に記載の画像出力システムであって、前記受信した画像データを構成する特色に関する色情報は、前記受信した画像データに付加されることを特徴とする。
【手続補正１０】
【補正対象書類名】明細書
【補正対象項目名】００２４
【補正方法】変更
【補正の内容】
【００２４】
また、請求項２乃至請求項５の何れか一項に記載の画像出力システムであって、前記第２のテーブルを構成する前記任意の特色に関する色情報は、前記特色を再現するインクの透過率に関する情報を含み、前記出力制御値算出手段は、前記透過率を加味して、前記受信した画像データを構成する基本色及び特色の組み合わせに対応する出力制御値を算出して、前記出力制御テーブルを作成することを特徴とする。
【手続補正１１】
【補正対象書類名】明細書
【補正対象項目名】００２５
【補正方法】変更
【補正の内容】
【００２５】
また、請求項２乃至請求項５の何れか一項に記載の画像出力システムであって、前記受信した画像データを構成する特色に関する色情報、及び、前記第２のテーブルを構成する任意の特色の色情報は、それぞれ該当する特色の名称に関する情報を含み、前記比較判定手段は、前記受信した画像データを構成する特色の名称と、前記第２のテーブルを構成する任意の特色の名称とを比較して、それらの一致／不一致を判定することを特徴とする。
【手続補正１２】
【補正対象書類名】明細書
【補正対象項目名】００２６
【補正方法】変更
【補正の内容】
【００２６】
また、請求項２乃至請求項５の何れか一項に記載の画像出力システムであって、前記制御装置並びに前記画像出力装置は、それぞれ別個の装置として設けられることを特徴とする。
【手続補正１３】
【補正対象書類名】明細書
【補正対象項目名】００２７
【補正方法】変更
【補正の内容】
【００２７】
また、請求項２乃至請求項５の何れか一項に記載の画像出力システムであって、前記制御装置は、前記画像出力装置に内蔵されることを特徴とする。
【手続補正１４】
【補正対象書類名】明細書
【補正対象項目名】００２８
【補正方法】変更
【補正の内容】
【００２８】
【発明の実施の形態】
以下、本発明に係る画像出力システムの様々な実施形態について、図面を参照しながら詳細に説明する。尚、本発明である請求項１に係る画像出力システムは、請求項２乃至請求項５に係る画像出力システムを包含するものであり、また、請求項４、請求項５に係る画像出力システムは、それぞれ請求項６に係る画像出力システムを包含するものであるため、以下においては、請求項４及び請求項５に係る画像出力システムに対応する実施形態を例に挙げて、本発明に係る画像出力システムについて説明することとする。